Podtech/llm-jp-corpus-v4-ja_patent huggingface dataset:
【手続補正書】
【提出日】平成16年11月17日(2004.11.17)
【手続補正１】
【補正対象書類名】明細書
【補正対象項目名】００１９
【補正方法】変更
【補正の内容】
【００１９】
好ましい溶媒は、トルエン、キシレン、モノクロロベンゼンおよび1,2-ジクロロベンゼンであり、特に1,2-ジクロロベンゼンである。
この不活性溶媒は、式IIのカルバゾールの単位重量部当たり好ましくは0.5 〜10重量部、特に好ましくは１〜５重量部の量で使用される。
式IVの触媒において、n は好ましくは２〜６の整数、特に好ましくは３であり、R2、R3、R4およびR5は好ましくは水素、メチルまたはエチル、特にメチルである。
【手続補正書】
【提出日】平成16年4月30日(2004.4.30)
【手続補正１】
【補正対象書類名】明細書
【補正対象項目名】００２３
【補正方法】変更
【補正の内容】
【００２３】
熱分解帯域についてと同様に水蒸気クラッキング帯域についても、これらの比を高い反応温度と組合わせて選択することにより、これらの比がこれらの温度でコークスを転換するための、また一酸化炭素および水素を生成するための十分な酸化条件であるので、管および列の脱コークス化が促進される。
【手続補正２】
【補正対象書類名】明細書
【補正対象項目名】００３７
【補正方法】変更
【補正の内容】
【００３７】
さらに、完全ではない気密性を有する、比較的多孔質でありかつ余り経費のかからないセラミック製導管内に含まれた電気加熱素子の存在下に、水素および／または水蒸気および／または一酸化炭素および／または不活性ガスを含む導管ガスが使用されてよいことが認められた。さらに該ガスは、熱分解反応を妨害しないで、また脱コークス化反応を妨害しないで、導管の内部から外部に向けて拡散し得ることが認められた。
【手続補正３】
【補正対象書類名】明細書
【補正対象項目名】００７１
【補正方法】変更
【補正の内容】
【００７１】
［実施例（比較）］
熱分解の炭化水素仕込原料として、温度９００℃で作用したエタンの工業用水蒸気クラッキング流出物を使用した。該流出物を間接冷却により４５０℃に冷却した。管路(10)を経て導入した該仕込原料を、上記の実施例でのように、熱分解で作用する５列（(1)(3)(4)(5)(6) ）に対応する５つの管路（(11)(13)(14)(15)(16)）に分配した。
【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
一般式（Ｉ）：
【化１】
1998279503.tif 000001
（式中、Ｌ1 は炭素数１４以下の置換されてもよい複素環基またはアリール基を、Ｒ1 は炭素数４以下の置換されてもよいアルキル基または単結合を意味する）で表されるアリールカルボン酸またはその薬理学的に許容される塩に一般式（ＩＩ）：
【化２】
1998279503.tif 000002
（式中、ＡおよびＡ’は炭素原子または窒素原子を、Ｘは炭素原子または窒素原子を意味し、ＹおよびＺはそれぞれ炭素原子を意味するか、またはＹとＺがいっしょになってＣＨを形成してもよい。Ｒ2 、Ｒ3 、Ｒ4 、Ｒ5 、Ｒ6 、Ｒ7 およびＲ8 は、同一または異なっていてもよく、それぞれ水素原子、ハロゲン、カルボキシル基、置換されてもよい低級アルキル基、置換されてもよいシクロアルキル基、置換されてもよいアシル基、置換されてもよいアリール基または置換されてもよい複素環基を意味し、またＲ4 およびＲ5 は隣接する窒素原子およびＸを介して４〜６員環の複素環基を形成し、Ｒ6 およびＲ7 は隣接するＹおよびＺを介して４〜６員環の複素環基を形成してもよい。ただし、Ｘが窒素原子の場合、置換基Ｒ5 は有さない。
【化３】
1998279503.tif 000003
は単結合または二重結合を意味する。ただし、Ａが炭素原子の場合、ＹおよびＺはそれぞれＣＨであり、
【化４】
1998279503.tif 000004
は二重結合である。また、Ａが窒素原子の場合、ＹとＺはいっしょになってＣＨを形成し、
【化５】
1998279503.tif 000005
は単結合である。）で表される複素環式塩基を配合することを特徴とするアリールカルボン酸またはその薬理学的に許容される塩の安定化方法。
【請求項２】
複素環式塩基が一般式（ＩＩＩ）：
【化６】
1998279503.tif 000006
（式中、Ｒ9 、Ｒ10およびＲ11は、同一または異なっていてもよく、それぞれ水素原子または置換されてもよいアルキル基を意味する）で表されるプリン塩基およびその薬理学的に許容される塩である請求項１記載のアリールカルボン酸の安定化方法。
【請求項３】
プリン塩基が、カフェイン、テオブロミンおよびテオフィリンからなる群より選ばれる少なくとも１種の化合物である請求項２記載のアリールカルボン酸の安定化方法。
【請求項４】
複素環式塩基が一般式（ＩＶ）：
【化７】
1998279503.tif 000007
（式中、Ｘは炭素原子または窒素原子を意味し、Ｒ12、Ｒ13、Ｒ14およびＲ15は、同一または異なっていてもよく、それぞれ水素原子、ハロゲン、カルボキシル基、置換されてもよい低級アルキル基、置換されてもよいシクロアルキル基、置換されてもよいアシル基、置換されてもよいアリール基または置換されてもよい複素環基を意味し、またＲ12およびＲ13は隣接する窒素原子およびＸを介して４〜６員環の複素環基を形成し、Ｒ14およびＲ15は隣接する炭素原子を介して４〜６員環の複素環基を形成してもよい。ただし、Ｘが窒素原子の場合、置換基Ｒ13は有さない）で表されるピリドンカルボン酸およびその薬理学的に許容される塩である請求項１記載のアリールカルボン酸の安定化方法。
【請求項５】
ピリドンカルボン酸がロメフロキサシン、ノルフロキサシン、オフロキサシン、エノキサシン、シプロフロキサシンおよびトスフロキサシンからなる群より選ばれる少なくとも１種の化合物である請求項４記載のアリールカルボン酸の安定化方法。
【請求項６】
アリールカルボン酸がイブプロフェン、ジクロフェナック、２−ナフトエ酸、２−ナフチル酢酸、２−ナフトキシ酢酸、ブロムフェナック、プラノプロフェン、サリチル酸、アスピリン、フルフェニサール、イブフェナック、アルクロフェナック、フルルビプロフェン、ケトプロフェン、ナプロキセン、メフェナム酸、ニフルム酸、メチアジン酸、プロチジン酸、クロニキシン、インドメサシンおよびフェンクロズ酸からなる群より選ばれる少なくとも１種の化合物である請求項１記載のアリールカルボン酸の安定化方法。
【請求項７】
アリールカルボン酸１００重量部に対し複素環式塩基を０．００１〜５重量部配合することを特徴とする請求項１記載のアリールカルボン酸の安定化方法。
【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
テトラフルオロエチレン30〜70モル%、メチルビニルエーテル5〜40モル%およびフッ化ビニリデン5〜65モル%の共重合組成を有し、ηsp/c(テトラヒドロフラン中、35℃)が0.1〜3dl/gの値を有する含フッ素エラストマー。
【請求項２】
テトラフルオロエチレン、メチルビニルエーテルおよびフッ化ビニリデンを、pH7〜11および温度約0〜70℃の反応条件下で共重合反応させることを特徴とする、テトラフルオロエチレン30〜70モル%、メチルビニルエーテル5〜40モル%およびフッ化ビニリデン5〜65モル%の共重合組成を有する含フッ素エラストマーの製造方法。
【手続補正２】
【補正対象書類名】明細書
【補正対象項目名】０００５
【補正方法】変更
【補正の内容】
【０００５】
【課題を解決するための手段】
かかる本発明の目的は、テトラフルオロエチレン30〜70モル%、メチルビニルエーテル5〜40モル%およびフッ化ビニリデン5〜65モル%の共重合組成を有し、ηsp/c(テトラヒドロフラン中、35℃)が0.1〜3dl/gの値を有する含フッ素エラストマーによって達成される。


【手続補正３】
【補正対象書類名】明細書
【補正対象項目名】００２２
【補正方法】変更
【補正の内容】
【００２２】
従って、この含フッ素エラストマーは、これらの各種性質が要求される用途、例えば自動車用チューブ、ホース、オイルシール、O-リング、パッキン、電線材料等として有効に用いることができる。
【手続補正書】
【提出日】平成16年4月1日(2004.4.1)
【手続補正１】
【補正対象書類名】明細書
【補正対象項目名】００１４
【補正方法】変更
【補正の内容】
【００１４】
本発明でのポリエステル樹脂の合成は、テレフタル酸およびこれ以外の酸成分とエチレングリコールおよびこれ以外のグリコール成分と式（Ｉ）で表されるリン系難燃剤とを重縮合することによって行われる。
この重縮合は、従来法を採用でき、エステル交換法や直接エステル法によって中間体を合成し、この中間体を重縮合し、必要に応じてさらに固相重合を行って重合度を高める方法などによって行われる。この際、リン系難燃剤は、エステル化工程あるいはエステル交換化工程から重縮合工程の初期までの間に反応系に添加されて共重合される。
これにより、リン系難燃剤は、均一に共重合され、ポリエステル樹脂中に均一に分散され、後工程でのフィルム製膜時の際に、フィルム表面にブリートアウトすることが防止される。


【手続補正２】
【補正対象書類名】明細書
【補正対象項目名】００２４
【補正方法】変更
【補正の内容】
【００２４】
得られたフィルムの燃焼性、収縮率、機械強度を測定し、その結果を表３に示した。以下に燃焼性、収縮率、機械強度の測定法を示す。
・燃焼性
１２．５ｃｍ×１．２５ｃｍの大きさのポリエステルフィルムを長手方向が下を向くように垂直に下げ、長さ２ｃｍのライター火をフィルム下端に５秒間着火した後の燃焼時間および再び５秒間着火したあとの燃焼時間を測定した。この燃焼試験を各々の実施例および比較例について５個の試験片について行い燃焼時間の合計を表１に示した。
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
ポリエステルジオール、ポリエーテルジオール、ポリカプロラクトンジオール、およびポリカーボネートジオールからなる群より選ばれる、少なくとも１種の官能化ポリオールを組み込んでいるポリウレタンであって、そのポリオールが、下式
【化１】
1998279651.tif 000001
（上式中、Ｍはメチン基または窒素であり、ＲおよびＲ1 は１〜７個の炭素原子を有する同一のまたは異なるアルキレン基であり、Ｒ2 は１〜７個の炭素原子を有するアルキレン基であり、Ｒ3 およびＲ4 は１〜７個の炭素原子を有する同一のまたは異なるアルキル基であり、Ｘはブレンステッド酸のアニオンである）を有する官能基を組み込んでおり、その官能基の量がポリウレタンの１×106 グラムあたりで８〜32グラムモルであるポリウレタン。
【請求項２】
ＲおよびＲ1 がプロピレン基である、請求項１に記載のポリウレタン。
【請求項３】
Ｒ2 がプロピレン基である、請求項２に記載のポリウレタン。
【請求項４】
上記官能基の量がポリウレタンの１×106 グラムあたりで10〜20グラムモルである、請求項１に記載のポリウレタン。
【請求項５】
上記ブレンステッド酸がリン酸である、請求項１に記載のポリウレタン。
【請求項６】
非磁性支持体およびその上の磁性コーティングを含んでいる磁気記録媒体であって、前記コーティングが、バインダー樹脂およびその中に分散されている磁性粒子を含んでおり、前記バインダー樹脂が、ポリエステルジオール、ポリエーテルジオール、ポリカプロラクトンジオール、およびポリカーボネートジオールからなる群より選ばれる、少なくとも１種の官能化ポリオールを組み込んでいるポリウレタンであって、そのポリオールが、下式
【化２】
1998279651.tif 000002
（上式中、Ｍはメチン基または窒素であり、ＲおよびＲ1 は１〜７個の炭素原子を有する同一のまたは異なるアルキレン基であり、Ｒ2 は１〜７個の炭素原子を有するアルキレン基であり、Ｒ3 およびＲ4 は１〜７個の炭素原子を有する同一のまたは異なるアルキル基であり、Ｘはブレンステッド酸のアニオンである）を有する官能基を組み込んでおり、その官能基の量がポリウレタンの１×106 グラムあたりで８〜32グラムモルであるポリウレタンを含んでいる磁気記録媒体。
【請求項７】
ＲおよびＲ1 がプロピレン基である、請求項６に記載の磁気記録媒体。
【請求項８】
Ｒ2 がプロピレン基である、請求項７に記載の磁気記録媒体。
【請求項９】
上記ブレンステッド酸がリン酸である、請求項６に記載の磁気記録媒体。
【請求項１０】
上記官能基の量がポリウレタンの１×106 グラムあたりで10〜20グラムモルである、請求項６に記載の磁気記録媒体。
【請求項１１】
化学量論的に過剰のジカルボン酸とのアミノジオールの混合物を加熱し、その反応により生じた水を除去し、得られたカルボン酸を末端にもつアミノエステルをブレンステッド酸と混合して塩を生じさせ、未反応のカルボン酸に対して化学量論的に過剰のグリコールを添加し、その混合物を加熱して反応水を除き、そして得られたヒドロキシル基を末端にもつポリエステルとジイソシアネートとの混合物を100℃〜260℃において硬化させることを含む、官能化ポリウレタンの製造方法。
【請求項１２】
上記アミノエステル塩、グリコール、およびジカルボン酸混合物の加熱を30またはそれ以下の酸価が達成されるまで続ける、請求項１１に記載の方法。
【請求項１３】
上記アミノエステルのブレンステッド酸塩の量が上記ポリウレタンの１×106 グラムあたりで８〜32グラムモルである、請求項１２に記載の方法。
【手続補正２】
【補正対象書類名】明細書
【補正対象項目名】００１７
【補正方法】変更
【補正の内容】
【００１７】
（上式中、Ｍはメチン基または窒素であり、ＲおよびＲ1 は１〜７個の炭素原子を有する同一のまたは異なるアルキレン基であり、Ｒ2 は１〜７個の炭素原子を有するアルキレン基であり、Ｒ3 およびＲ4 は１〜７個の炭素原子を有する同一のまたは異なるアルキル基であり、Ｘはブレンステッド酸のアニオンである）を有する官能基を組み込んでおり、その官能基の量がポリウレタンの１×106 グラムあたりで約８〜約32グラムモルであるポリウレタンにより達成される。
【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
ポリオレフィンワックスを、１４０から２００℃の温度、５から２００バールの圧力で、酸素または酸素含有気体と反応させることにより酸化ポリオレフィンワックスを製造する方法であって、上記酸化反応を管状反応器中において連続的に行なう（但し、メタロセン触媒により得られるポリオレフィンの酸化反応を除く。）ことを特徴とする方法。
【請求項２】
管状反応器中におけるワックスの平均滞留時間が０．５から２０時間であることを特徴とする、請求項（１）の方法。
【請求項３】
使用されるポリオレフィンワックスが、エチレンの単独重合体または共重合体であることを特徴とする、請求項（１）または（２）の方法。
【請求項４】
酸素含有気体として空気を使用することを特徴とする、請求項（１）から（３）のいずれかの方法。
【請求項５】
酸化気体とワックスの流動速度割合を３０から５００とすることを特徴とする、請求項（１）から（４）のいずれかの方法。
【請求項６】
管状反応器の加熱ジャケットが、少なくとも２個所の相違する温度帯域を有し、前方帯域を後方帯域より５から２０℃の範囲で高く設定することを特徴とする、請求項（１）から（５）のいずれかの方法。
【請求項７】
請求項（１）から（６）のいずれかの方法により得られることを特徴とする、酸化ポリオレフィンワックス。
【請求項８】
１０から５０の酸価を有することを特徴とする、請求項（７）の酸化ポリオレフィンワックス。
【請求項９】
コーティング剤組成物として、またはその組成分として、請求項（７）の酸化ポリオレフィンを使用する方法。
【請求項１０】
フロアケア剤組成物として、またはその組成分として、請求項（７）の酸化ポリオレフィンを使用する方法。
【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
ロメフロキサシン、ノルフロキサシン、エノキサシン、オフロキサシン、シプロフロキサシン、トスフロキサシン、フレロキサシン、シノキサシン、レボフロキサシンおよびスパルフロキサシンからなる群より選ばれる１種の化合物であるピリドンカルボン酸またはその薬理学的に許容される塩に、プラノプロフェン、イブプロフェン、ブロムフェナック、２−ナフトエ酸、２−ナフチル酢酸および２−ナフトキシ酢酸からなる群より選ばれる少なくとも１種の化合物であるアリールカルボン酸またはその薬理学的に許容される塩を配合することを特徴とするピリドンカルボン酸またはその薬理学的に許容される塩の可溶化方法。
【請求項２】
ピリドンカルボン酸またはその薬理学的に許容される塩１重量部に対しアリールカルボン酸またはその薬理学的に許容される塩を０．００１〜５０重量部配合することを特徴とする請求項１記載の可溶化方法。
【請求項３】
ロメフロキサシン、ノルフロキサシン、エノキサシン、オフロキサシン、シプロフロキサシン、トスフロキサシン、フレロキサシン、シノキサシン、レボフロキサシンおよびスパルフロキサシンからなる群より選ばれる１種の化合物であるピリドンカルボン酸またはその薬理学的に許容される塩とプラノプロフェン、イブプロフェン、ブロムフェナック、２−ナフトエ酸、２−ナフチル酢酸および２−ナフトキシ酢酸からなる群より選ばれる少なくとも１種の化合物であるアリールカルボン酸またはその薬理学的に許容される塩からなる水性液剤。
【請求項４】
ピリドンカルボン酸またはその薬理学的に許容される塩１重量部に対しアリールカルボン酸またはその薬理学的に許容される塩を０．００１〜５０重量部配合することを特徴とする請求項３記載の水性液剤。
【請求項５】
点眼剤である請求項３または４記載の水性液剤
【請求項６】
点鼻剤である請求項３または４記載の水性液剤。
【請求項７】
点耳剤である請求項３または４記載の水性液剤。
【請求項８】
ピリドンカルボン酸またはその薬理学的に許容される塩の濃度が０．２〜５．０（ｗ／ｖ）％である請求項３記載の水性液剤。
【手続補正２】
【補正対象書類名】明細書
【補正対象項目名】００６８
【補正方法】変更
【補正の内容】
【００６８】
【表３】
1998279481.tif 000001
【手続補正書】
【提出日】平成16年4月1日(2004.4.1)
【手続補正１】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）金属封鎖剤
を含有することを特徴とする組成物を提供するものである。本発明の好ましい実施態様としては、以下の特徴を有する。
（１）該リグナン配糖体が、下記の構造式（Ｉ）で示されるリグナン配糖体である。
【化５】
1998279485.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279485.tif 000002
【化７】
1998279485.tif 000003
【化８】
1998279485.tif 000004
（３）該リグナン配糖体が、ゴマ種子やその加湿物もしくは発芽体、またはそれらの粉砕物、またはそれらの脱脂物の含水低級アルコール抽出物である。
（４）該金属封鎖剤が、エチレンジアミン四酢酸及びその塩、ジエチレントリアミン−Ｎ，Ｎ，Ｎ’，Ｎ”，Ｎ”−五酢酸及びその塩、２，２’−ジピリジルアミン、デフェロキサミン、ラクトフェリン、トランスフェリン、フィチン酸及びその塩、サリチル酸及びその塩、クエン酸及びその塩、ｏ−フェナントロリン、マンニトール、グルコサミン、グルクロン酸、デオキシリボ核酸及びその塩から選ばれる１種または２種以上である。
【手続補正２】
【補正対象書類名】明細書
【補正対象項目名】００１６
【補正方法】変更
【補正の内容】
【００１６】
【実施例】
次に参考例および試験例を挙げて本発明を更に詳細に説明するが、本発明はこれらになんら制約されるものではない。


【手続補正３】
【補正対象書類名】明細書
【補正対象項目名】００２９
【補正方法】変更
【補正の内容】
【００２９】
【表１】
1998279485.tif 000005
【手続補正書】
【提出日】平成16年4月1日(2004.4.1)
【手続補正１】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）活性酸素除去剤
を含有することを特徴とする組成物を提供するものである。本発明の好ましい実施態様としては、以下の特徴を有する。
（１）該リグナン配糖体が、下記の構造式（Ｉ）で示されるリグナン配糖体である。
【化５】
1998279458.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279458.tif 000002
【化７】
1998279458.tif 000003
【化８】
1998279458.tif 000004
（３）該リグナン配糖体が、ゴマ種子やその加湿物もしくは発芽体、またはそれらの粉砕物、またはそれらの脱脂物の含水低級アルコール抽出物である。
（４）該活性酸素除去剤が、スーパーオキシドディスムターゼ（ＳＯＤ）、カタラーゼ、グルタチオンペルオキシダーゼ等の酵素類、マンニトール、ベーターカロチン等のカロテノイド類、ハイドロキノン、ビリルビン、トリプトファン、ヒスチジン、クエルセチン、クエルシトリン、カテキン及びその誘導体、没食子酸及びその誘導体、オウゴン抽出物及びイチョウ抽出物等のフラボノイドを成分中に含む植物抽出物、ユキノシタ抽出物、ゴカヒ抽出物、ヤシャジツ抽出物及びジコッピ抽出物から選ばれる１種または２種以上である。
【手続補正２】
【補正対象書類名】明細書
【補正対象項目名】００１０
【補正方法】変更
【補正の内容】
【００１０】
スーパーオキシドディスムターゼ（以下ＳＯＤと略す）、カタラーゼ、グルタチオンペルオキシダーゼ等の酵素類、マンニトール、ベーターカロチン等のカロテノイド類、ハイドロキノン、ビリルビン、トリプトファン、ヒスチジン、クエルセチン、クエルシトリン、カテキン及びその誘導体、没食子酸及びその誘導体、オウゴン抽出物及びイチョウ抽出物等のフラボノイドを成分中に含む植物抽出物、ユキノシタ抽出物、ゴカヒ抽出物、ヤシャジツ抽出物及びジコッピ抽出物等が挙げられ、これらの１種又は２種以上を組み合わせて用いても良い。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）金属封鎖剤
を含有することを特徴とする組成物。
【化１】
1998279459.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の組成物。
【化２】
1998279459.tif 000002
【化３】
1998279459.tif 000003
【化４】
1998279459.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の組成物。
【請求項４】
前記金属封鎖剤は、エチレンジアミン四酢酸及びその塩、ジエチレントリアミン−Ｎ，Ｎ，Ｎ’，Ｎ”，Ｎ”−五酢酸及びその塩、２，２’−ジピリジルアミン、デフェロキサミン、ラクトフェリン、トランスフェリン、フィチン酸及びその塩、サリチル酸及びその塩、クエン酸及びその塩、ｏ−フェナントロリン、マンニトール、グルコサミン、グルクロン酸、デオキシリボ核酸及びその塩から選ばれる１種または２種以上である請求項１、２、または３記載の組成物。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）金属封鎖剤
を含有することを特徴とする組成物を提供するものである。
【化５】
1998279459.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279459.tif 000006
【化７】
1998279459.tif 000007
【化８】
1998279459.tif 000008
（２）該セサミノール配糖体は、ゴマ種子やその加湿物もしくは発芽体、またはそれらの粉砕物、またはそれらの脱脂物の含水低級アルコール抽出物である。
（３）該金属封鎖剤は、エチレンジアミン四酢酸及びその塩、ジエチレントリアミン−Ｎ，Ｎ，Ｎ’，Ｎ”，Ｎ”−五酢酸及びその塩、２，２’−ジピリジルアミン、デフェロキサミン、ラクトフェリン、トランスフェリン、フィチン酸及びその塩、サリチル酸及びその塩、クエン酸及びその塩、ｏ−フェナントロリン、マンニトール、グルコサミン、グルクロン酸、デオキシリボ核酸及びその塩から選ばれる１種または２種以上である。
【手続補正３】
【補正対象書類名】明細書
【補正対象項目名】００１６
【補正方法】変更
【補正の内容】
【００１６】
【実施例】
次に参考例および試験例を挙げて本発明を更に詳細に説明するが、本発明はこれらになんら制約されるものではない。


【手続補正４】
【補正対象書類名】明細書
【補正対象項目名】００２９
【補正方法】変更
【補正の内容】
【００２９】
【表１】
1998279459.tif 000009
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）チロシナーゼ活性阻害剤の１種又は２種以上
を含有することを特徴とする皮膚外用剤。
【化１】
1998279460.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の皮膚外用剤。
【化２】
1998279460.tif 000002
【化３】
1998279460.tif 000003
【化４】
1998279460.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の皮膚外用剤。
【請求項４】
前記チロシナーゼ活性阻害剤は、アルブチン、ハイドロキノン及びその誘導体並びにその塩、アスコルビン酸及びその誘導体並びにその塩、システイン及びその誘導体並びにその塩、グラブリジン、グラブレン、リクイリチン、イソリクイリチン及びこれらを含有するカンゾウ抽出物、センプクカ抽出物、ケイケットウ抽出物、サンペンズ抽出物、ソウハクヒ抽出物、トウキ抽出物、イブキトラノオ抽出物、クララ抽出物、サンザシ抽出物、シラユリ抽出物、ホップ抽出物、ノイバラ抽出物及びヨクイニン抽出物、プラセンタエキスから選ばれる１種または２種以上である請求項１、２、または３記載の皮膚外用剤。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）チロシナーゼ活性阻害剤の１種又は２種以上
を含有することを特徴とする皮膚外用剤を提供するものである。
【化５】
1998279460.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279460.tif 000006
【化７】
1998279460.tif 000007
【化８】
1998279460.tif 000008
（２）該セサミノール配糖体は、ゴマ種子やその加湿物もしくは発芽体、またはそれらの粉砕物、またはそれらの脱脂物の含水低級アルコール抽出物である。
（３）該チロシナーゼ活性阻害剤が、アルブチン、ハイドロキノン及びその誘導体並びにその塩、アスコルビン酸及びその誘導体並びにその塩、システイン及びその誘導体並びにその塩、グラブリジン、グラブレン、リクイリチン、イソリクイリチン及びこれらを含有するカンゾウ抽出物、センプクカ抽出物、ケイケットウ抽出物、サンペンズ抽出物、ソウハクヒ抽出物、トウキ抽出物、イブキトラノオ抽出物、クララ抽出物、サンザシ抽出物、シラユリ抽出物、ホップ抽出物、ノイバラ抽出物及びヨクイニン抽出物、プラセンタエキスから選ばれる１種または２種以上である。
【手続補正３】
【補正対象書類名】明細書
【補正対象項目名】００１０
【補正方法】変更
【補正の内容】
【００１０】
すなわち、アスコルビン酸及びその誘導体並びにその塩（例えばリン酸−Ｌ−アスコルビルマグネシウム等）、システイン及びその誘導体（例えば、Ｎ，Ｎ’−ジアセチルシスチンジメチル等）並びにその塩、アルブチン、ハイドロキノン及びその誘導体並びにその塩、グラブリジン、グラブレン、リクイリチン、イソリクイリチン及びこれらを含有するカンゾウ抽出物、胎盤抽出物、アロエ抽出物、イブキトラノオ抽出物、カミツレ抽出物、クララ抽出物、ケイケットウ抽出物、サンザシ抽出物、サンペンズ抽出物、シラユリ抽出物、センプクカ抽出物、ソウハクヒ抽出物、トウキ抽出物、ノイバラ抽出物、ホップ抽出物、及びヨクイニン抽出物、プラセンタエキス等が挙げられ、このうち１種または２種以上を適宜選択すればよい。


【手続補正４】
【補正対象書類名】明細書
【補正対象項目名】００３７
【補正方法】変更
【補正の内容】
【００３７】
（製法）
Ａ．成分（１）〜（７）を混合し、加熱して７０℃に保つ。
Ｂ．成分（１１）と（１３）を混合し、加熱して７０℃に保つ。
Ｃ．ＡにＢを加え、混合した後、冷却する。
Ｄ．Ｃに（８）〜（１０）及び（１２）を加え、均一に混合してクリームを得た。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）皮脂分泌調整剤及び／または殺菌剤から選ばれる薬効剤
を含有することを特徴とする組成物。
【化１】
1998279431.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の組成物。
【化２】
1998279431.tif 000002
【化３】
1998279431.tif 000003
【化４】
1998279431.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の組成物。
【請求項４】
前記皮脂分泌調整剤は、ピリドキシン及びその誘導体並びにそれらの塩、ビオチン、酸化亜鉛、塩化アルミニウム、塩化ナトリウム、アルミニウムヒドロキシクロライド、クエン酸及びその塩、海水乾燥物、アロエ抽出物、イブキトラノオ抽出物、オウバク抽出物、クレソン抽出物、メリッサ抽出物、ハマメリス抽出物、紅茶抽出物、緑茶抽出物、ウーロン茶抽出物、スギナ抽出物、ホップ抽出物、ローズマリー抽出物から選ばれる１種または２種以上である請求項１、２、または３記載の組成物。
【請求項５】
前記殺菌剤は、安息香酸及びその誘導体並びにその塩、塩化ベンザルコニウム、イソプロピルメチルフェノール、レゾルシン、ビス（２−ピリジルチオ−１−オキシド）亜鉛、イオウ、ショウガ抽出物、クジン抽出物、ティーツリー抽出物、ユーカリ抽出物及びドクダミ抽出物から選ばれる１種または２種以上である請求項１、２、３、または４記載の組成物。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）皮脂分泌調整剤及び／または殺菌剤から選ばれる薬効剤
を含有することを特徴とする組成物を提供するものである。
【化５】
1998279431.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279431.tif 000006
【化７】
1998279431.tif 000007
【化８】
1998279431.tif 000008
（２）該セサミノール配糖体は、ゴマ種子やその加湿物もしくは発芽体、またはそれらの粉砕物、またはそれらの脱脂物の含水低級アルコール抽出物である。
（３）該皮脂分泌調整剤は、ピリドキシン及びその誘導体並びにそれらの塩、ビオチン、酸化亜鉛、塩化アルミニウム、塩化ナトリウム、アルミニウムヒドロキシクロライド、クエン酸及びその塩、海水乾燥物、アロエ抽出物、イブキトラノオ抽出物、オウバク抽出物、クレソン抽出物、メリッサ抽出物、ハマメリス抽出物、紅茶抽出物、緑茶抽出物、ウーロン茶抽出物、スギナ抽出物、ホップ抽出物、ローズマリー抽出物から選ばれる１種または２種以上である。
（４）該殺菌剤は、安息香酸及びその誘導体並びにその塩、塩化ベンザルコニウム、イソプロピルメチルフェノール、レゾルシン、ビス（２−ピリジルチオ−１−オキシド）亜鉛、イオウ、ショウガ抽出物、クジン抽出物、ティーツリー抽出物、ユーカリ抽出物及びドクダミ抽出物から選ばれる１種または２種以上である。
【手続補正３】
【補正対象書類名】明細書
【補正対象項目名】００３７
【補正方法】変更
【補正の内容】
【００３７】
（製法）
Ａ．成分（１）〜（７）を混合し、加熱して７０℃に保つ。
Ｂ．成分（１１）と（１３）を混合し、加熱して７０℃に保つ。
Ｃ．ＡにＢを加え、混合した後、冷却する。
Ｄ．Ｃに（８）〜（１０）及び（１２）を加えてクリームを得た。


【手続補正４】
【補正対象書類名】明細書
【補正対象項目名】００４８
【補正方法】変更
【補正の内容】
【００４８】
【表３】
1998279431.tif 000009
【手続補正書】
【提出日】平成16年4月1日(2004.4.1)
【手続補正１】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）皮脂分泌調整剤及び／または殺菌剤から選ばれる薬効剤
を含有することを特徴とする組成物を提供するものである。本発明の好ましい実施態様としては、以下の特徴を有する。
（１）該リグナン配糖体が、下記の構造式（Ｉ）で示されるリグナン配糖体である。
【化５】
1998279432.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279432.tif 000002
【化７】
1998279432.tif 000003
【化８】
1998279432.tif 000004
（３）該リグナン配糖体が、ゴマ種子やその加湿物もしくは発芽体、またはそれらの粉砕物、またはそれらの脱脂物の含水低級アルコール抽出物である。
（４）該皮脂分泌調整剤が、ピリドキシン及びその誘導体並びにそれらの塩、ビオチン、酸化亜鉛、塩化アルミニウム、塩化ナトリウム、アルミニウムヒドロキシクロライド、クエン酸及びその塩、海水乾燥物、アロエ抽出物、イブキトラノオ抽出物、オウバク抽出物、クレソン抽出物、メリッサ抽出物、ハマメリス抽出物、紅茶抽出物、緑茶抽出物、ウーロン茶抽出物、スギナ抽出物、ホップ抽出物、ローズマリー抽出物から選ばれる１種または２種以上である。
（５）該殺菌剤が安息香酸及びその誘導体並びにその塩、塩化ベンザルコニウム、イソプロピルメチルフェノール、レゾルシン、ビス（２−ピリジルチオ−１−オキシド）亜鉛、イオウ、ショウガ抽出物、クジン抽出物、ティーツリー抽出物、ユーカリ抽出物及びドクダミ抽出物から選ばれる１種または２種以上である。
【手続補正２】
【補正対象書類名】明細書
【補正対象項目名】００２８
【補正方法】変更
【補正の内容】
【００２８】
参考例３  高純度リグナン配糖体精製物の製造
参考例２に記載の方法で得られた粗リグナン配糖体を、ＯＤＳを担体とする分配クロマトグラフィーに供した。ＹＭＣ−ＧＥＬ  ＯＤＳ−Ａ（山村化学（株）製）６０ｇを直径３ｃｍ、長さ５０ｃｍのガラス製カラムに充填して水を流して平衡化した。これに前記粗リグナン配糖体１ｇをカラムの上部に負荷した。水から順次メタノール濃度を増加させる段階溶出法によって、分画成分を溶出させた。３０〜６０％（ｖ／ｖ）メタノールで溶出する画分を集め、減圧濃縮したところ、約１００ｍｇのカラム分画物が得られた。


【手続補正３】
【補正対象書類名】明細書
【補正対象項目名】００３６
【補正方法】変更
【補正の内容】
【００３６】
【表１】
1998279432.tif 000005
【手続補正４】
【補正対象書類名】明細書
【補正対象項目名】００３７
【補正方法】変更
【補正の内容】
【００３７】
（製法）
Ａ．成分（１）〜（７）を混合し、加熱して７０℃に保つ。
Ｂ．成分（１１）と（１３）を混合し、加熱して７０℃に保つ。
Ｃ．ＡにＢを加え、混合した後、冷却する。
Ｄ．Ｃに（８）〜（１０）及び（１２）を加えてクリームを得た。


【手続補正５】
【補正対象書類名】明細書
【補正対象項目名】００４２
【補正方法】変更
【補正の内容】
【００４２】
【表２】
1998279432.tif 000006
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
次の成分（Ａ）及び（Ｂ）
（Ａ）リグナン配糖体である下記の構造式（Ｉ）で示されるセサミノール配糖体
（Ｂ）ホルモン類、ビタミン類、血行促進剤、細胞賦活剤の１種又は２種以上
を含有することを特徴とする毛髪化粧料。
【化１】
1998279440.tif 000001
【請求項２】
前記セサミノール配糖体は、下記の構造式（ＩＩ−ａ）、（ＩＩ−ｂ）もしくは（ＩＩ−ｃ）で示されるセサミノール配糖体の１種または２種以上を主成分とすることを特徴とする請求項１記載の毛髪化粧料。
【化２】
1998279440.tif 000002
【化３】
1998279440.tif 000003
【化４】
1998279440.tif 000004
【請求項３】
前記セサミノール配糖体は、ゴマ種子やその加湿物もしくは発芽体、またはそれらの粉砕物、またはそれらの脱脂物の含水低級アルコール抽出物である請求項１または２記載の毛髪化粧料。
【請求項４】
前記ホルモン類は、エチニルエストラジール、１７β−エストラジオール、エストリオール、エストロン、又はプロゲステロンである請求項１、２、または３記載の毛髪化粧料。
【請求項５】
前記ビタミン類は、レチノール、レチナール、レチノイン酸等のビタミンＡ類及びそれらの誘導体並びに、それらの塩、イノシトール、チアミン、リボフラビン、フラビンモノヌクレオチド、ピリドキシン、シアノコバラミン、メチルコバラミン、等のビタミンＢ類及びそれらの誘導体並びに、それらの塩、パントテニルアルコール、パントテン酸及びそれらの誘導体並びに、それらの塩、アスコルビン酸、アスコルビルリン酸マグネシウム、アスコルビルリン酸ナトリウム、アスコルビン酸グルコシド等のビタミンＣ類及びそれらの誘導体並びに、それらの塩、エルゴカルシフェロール、コレカルシフェロール、ジヒドロタキステロール等のビタミンＤ類及びそれらの誘導体並びに、それらの塩、トコフェロール等のビタミンＥ類及びその誘導体並びに、それらの塩、又はニコチン酸及びその誘導体並びに、その塩である請求項１、２、３、または４記載の毛髪化粧料。
【請求項６】
前記血行促進剤は、γ−オリザノール、カンフル、ヒノキチオール、トウガラシ抽出物、イチョウ抽出物、センブリ抽出物、アルニカ抽出物、紅花抽出物、又はトウキ抽出物である請求項１、２、３、４、または５記載の毛髪化粧料。
【請求項７】
前記細胞賦活剤は、牛胎盤抽出物、鶏冠抽出物、ローヤルゼリー等の動物由来の抽出物、酵母抽出物、乳酸菌発酵代謝物、霊芝抽出物等の微生物由来の抽出物、セファランチン、アスパラガス抽出物、高麗人参抽出物、ニンニク抽出物、又はローズマリー抽出物である請求項１、２、３、４、５、または６記載の毛髪化粧料。
【手続補正２】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体である下記の構造式（Ｉ）で示されるセサミノール配糖体
（Ｂ）ホルモン類、ビタミン類、血行促進剤、細胞賦活剤の１種又は２種以上
を含有することを特徴とする毛髪化粧料を提供するものである。
【化５】
1998279440.tif 000005
本発明の好ましい実施態様としては、以下の特徴を有する。
（１）該セサミノール配糖体は、下記の構造式（ＩＩ−ａ）、（ＩＩ−ｂ）もしくは（ＩＩ−ｃ）で示されるセサミノール配糖体の１種または２種以上を主成分とする。
【化６】
1998279440.tif 000006
【化７】
1998279440.tif 000007
【化８】
1998279440.tif 000008
（２）該セサミノール配糖体は、ゴマ種子やその加湿物もしくは発芽体、またはそれらの粉砕物、またはそれらの脱脂物の含水低級アルコール抽出物である。
（３）該ホルモン類は、エチニルエストラジール、１７β−エストラジオール、エストリオール、エストロン、又はプロゲステロンである。
（４）該ビタミン類は、レチノール、レチナール、レチノイン酸等のビタミンＡ類及びそれらの誘導体並びに、それらの塩、イノシトール、チアミン、リボフラビン、フラビンモノヌクレオチド、ピリドキシン、シアノコバラミン、メチルコバラミン、等のビタミンＢ類及びそれらの誘導体並びに、それらの塩、パントテニルアルコール、パントテン酸及びそれらの誘導体並びに、それらの塩、アスコルビン酸、アスコルビルリン酸マグネシウム、アスコルビルリン酸ナトリウム、アスコルビン酸グルコシド等のビタミンＣ類及びそれらの誘導体並びに、それらの塩、エルゴカルシフェロール、コレカルシフェロール、ジヒドロタキステロール等のビタミンＤ類及びそれらの誘導体並びに、それらの塩、トコフェロール等のビタミンＥ類及びその誘導体並びに、それらの塩、又はニコチン酸及びその誘導体並びに、その塩である。
（５）該血行促進剤は、γ−オリザノール、カンフル、ヒノキチオール、トウガラシ抽出物、イチョウ抽出物、センブリ抽出物、アルニカ抽出物、紅花抽出物又はトウキ抽出物である。
（６）該細胞賦活剤は、牛胎盤抽出物、鶏冠抽出物、ローヤルゼリー等の動物由来の抽出物、酵母抽出物、乳酸菌発酵代謝物、霊芝抽出物等の微生物由来の抽出物、セファランチン、アスパラガス抽出物、高麗人参抽出物、ニンニク抽出物、又はローズマリー抽出物である。
【手続補正３】
【補正対象書類名】明細書
【補正対象項目名】００１６
【補正方法】変更
【補正の内容】
【００１６】
（細胞賦活剤）一方、細胞賦活剤は、例えば、牛胎盤抽出物、鶏冠抽出物、ローヤルゼリー等の動物由来の抽出物、酵母抽出物、乳酸菌発酵代謝物、霊芝抽出物等の微生物由来の抽出物、セファランチン、アスパラガス抽出物、高麗人参抽出物、ニンニク抽出物、ローズマリー抽出物等が挙げられる。
【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
ゴマ（ＳｅｓａｍｕｍＩｎｄｉｃｕｍ Ｌ．）の水溶性抽出物を含有することを特徴とする化粧料。
【請求項２】
前記水溶性抽出物がゴマ（Ｓｅｓａｍｕｍ Ｉｎｄｉｃｕｍ Ｌ．）の根、葉、茎、芽、花、発芽物または種子、あるいはそれらの乾燥物、粉砕物の１種又は２種以上から得られたものである請求項１記載の化粧料。
【請求項３】
前記水溶性抽出物が脱脂工程を経て得られるものである請求項１または２記載の化粧料。
【請求項４】
前記水溶性抽出物を水もしくは含水及び／または無水低級アルコールで抽出することを特徴とする請求項１、２または３記載の化粧料。
【請求項５】
前記水溶性抽出物を０．０１〜２０．０重量％含有する請求項１、２、３、または４記載の化粧料。
【請求項６】
ゴマ（ＳｅｓａｍｕｍＩｎｄｉｃｕｍ Ｌ．）の水溶性抽出物を有効成分として含有することを特徴とする美白剤。
【請求項７】
ゴマ（ＳｅｓａｍｕｍＩｎｄｉｃｕｍ Ｌ．）の水溶性抽出物を有効成分として含有することを特徴とするチロシナーゼ活性阻害剤。
【手続補正２】
【補正対象書類名】明細書
【補正対象項目名】０００１
【補正方法】変更
【補正の内容】
【０００１】
【発明の属する技術分野】
本発明は、ゴマ（ＳｅｓａｍｕｍＩｎｄｉｃｕｍ Ｌ．）を原料として抽出される水溶性成分を含有する化粧料に関し、詳しくは、チロシナーゼ活性阻害効果に優れた安全性の高い美白剤として、ゴマ（Ｓｅｓａｍｕｍ Ｉｎｄｉｃｕｍ Ｌ．）の水溶性抽出物を含有する化粧料に関する。


【手続補正３】
【補正対象書類名】明細書
【補正対象項目名】０００６
【補正方法】変更
【補正の内容】
【０００６】
【課題を解決するための手段】
前記目的を達成するため、本研究者らは鋭意検討した結果、ゴマを原料として抽出される水溶性の抽出成分が肌に対し優れた効果、特に美白効果を有する事を見い出し、本発明を完成するに至った。
すなわち、本発明は、上記目的を達成するため、ゴマ（Ｓｅｓａｍｕｍ Ｉｎｄｉｃｕｍ Ｌ．）の水溶性抽出物を含有することを特徴とする化粧料を提供する。
本発明の好ましい実施態様としては、以下の特徴を有する。
（１）前記水溶性抽出物がゴマ（Ｓｅｓａｍｕｍ Ｉｎｄｉｃｕｍ Ｌ．）の根、葉、茎、芽、花、発芽物または種子、あるいはそれらの乾燥物、粉砕物の１種又は２種以上から得られたものである。
（２）前記水溶性抽出物が脱脂工程を経て得られるものである。
（３）前記水溶性抽出物を水もしくは含水及び／または無水低級アルコールで抽出する。
（４）前記水溶性抽出物を０．０１〜２０．０重量％含有する。
また、本発明は、上記目的を達成するため、ゴマ（Ｓｅｓａｍｕｍ Ｉｎｄｉｃｕｍ Ｌ．）の水溶性抽出物を有効成分として含有することを特徴とする美白剤を提供する。
また、本発明は、上記目的を達成するため、ゴマ（Ｓｅｓａｍｕｍ Ｉｎｄｉｃｕｍ Ｌ．）の水溶性抽出物を有効成分として含有することを特徴とするチロシナーゼ活性阻害剤を提供する。
【手続補正４】
【補正対象書類名】明細書
【補正対象項目名】００１０
【補正方法】変更
【補正の内容】
【００１０】
かかる水溶性抽出物の化粧料への配合量は、原料の違いや、各々の水溶性成分の違いにより一律に規定しがたいが、例えば水溶性抽出物を配合する場合は０．０１〜２０．０重量％、好ましくは０．０５〜１０．０重量％である。これらの範囲を外れて少ないと本発明の所望の効果を奏する事ができず、逆に多すぎると最終製品に置いて処方や色調等の品質安定性を損なったり、また、臭いの点で懸念を生じる場合がある。
【手続補正書】
【提出日】平成16年4月1日(2004.4.1)
【手続補正１】
【補正対象書類名】明細書
【補正対象項目名】０００５
【補正方法】変更
【補正の内容】
【０００５】
すなわち、本発明は、次の成分（Ａ）及び（Ｂ）
（Ａ）リグナン配糖体
（Ｂ）ホルモン類、ビタミン類、血行促進剤、細胞賦活剤の１種又は２種以上
を含有することを特徴とする毛髪化粧料を提供するものである。本発明の好ましい実施態様としては、以下の特徴を有する。
（１）該リグナン配糖体が、下記の構造式（Ｉ）で示されるリグナン配糖体である。
【化５】
1998279441.tif 000001
（２）該リグナン配糖体が、下記の構造式（ＩＩ−ａ）、（ＩＩ−ｂ）もしくは（ＩＩ−ｃ）で示されるリグナン配糖体の１種または２種以上を主成分とするリグナン配糖体である。
【化６】
1998279441.tif 000002
【化７】
1998279441.tif 000003
【化８】
1998279441.tif 000004
（３）該リグナン配糖体が、ゴマ種子やその加湿物もしくは発芽体、またはそれらの粉砕物、またはそれらの脱脂物の含水低級アルコール抽出物である。
（４）該ホルモン類が、エチニルエストラジール、１７β−エストラジオール、エストリオール、エストロン、又はプロゲステロンである。
（５）該ビタミン類がレチノール、レチナール、レチノイン酸等のビタミンＡ類及びそれらの誘導体並びに、それらの塩、イノシトール、チアミン、リボフラビン、フラビンモノヌクレオチド、ピリドキシン、シアノコバラミン、メチルコバラミン、等のビタミンＢ類及びそれらの誘導体並びに、それらの塩、パントテニルアルコール、パントテン酸及びそれらの誘導体並びに、それらの塩、アスコルビン酸、アスコルビルリン酸マグネシウム、アスコルビルリン酸ナトリウム、アスコルビン酸グルコシド等のビタミンＣ類及びそれらの誘導体並びに、それらの塩、エルゴカルシフェロール、コレカルシフェロール、ジヒドロタキステロール等のビタミンＤ類及びそれらの誘導体並びに、それらの塩、トコフェロール等のビタミンＥ類及びその誘導体並びに、それらの塩、又はニコチン酸及びその誘導体並びに、その塩である。
（６）該血行促進剤が、γ−オリザノール、カンフル、ヒノキチオール、トウガラシ抽出物、イチョウ抽出物、センブリ抽出物、アルニカ抽出物、紅花抽出物又はトウキ抽出物である。
（７）該細胞賦活剤が牛胎盤抽出物、鶏冠抽出物、ローヤルゼリー等の動物由来の抽出物、酵母抽出物、乳酸菌発酵代謝物、霊芝抽出物等の微生物由来の抽出物、セファランチン、アスパラガス抽出物、高麗人参抽出物、ニンニク抽出物、又はローズマリー抽出物である。
【手続補正２】
【補正対象書類名】明細書
【補正対象項目名】００１６
【補正方法】変更
【補正の内容】
【００１６】
（細胞賦活剤）一方、細胞賦活剤は、例えば、牛胎盤抽出物、鶏冠抽出物、ローヤルゼリー等の動物由来の抽出物、酵母抽出物、乳酸菌発酵代謝物、霊芝抽出物等の微生物由来の抽出物、セファランチン、アスパラガス抽出物、高麗人参抽出物、ニンニク抽出物、ローズマリー抽出物等が挙げられる。